(57)【特許請求の範囲】
【請求項１】
槽を収容した外枠と、前記外枠の上方部に覆設し略中央に洗濯物投入口を有する上部覆い体と、前記上部覆い体の前部に設け電源入ボタン、切ボタン、スタート、一時停止ボタンである電源を入れるボタン、電源を切るボタンおよび洗濯をスタートもしくは一時停止させるボタンのみを配置した制御用ユニットと、前記制御用ユニットを取り付けた状態で前記上部覆い体を上方から覆う前部パネルと、前記前部パネルの前記制御用ユニットに対向した位置に設けられ上方から押されることで前記制御用ユニットのボタンを操作する操作部と、前記操作部の下方に位置して前記上部覆い体の下面側に締め付けねじにて締め付けられた操作パネル設置枠と、前記上部覆い体と前記操作パネル設置枠の間に設けられてそれぞれを補強するとともに前記外枠に締め付けねじにて取り付けられる補強板と、前記操作パネル設置枠の内方に下端側を軸支して回転可能に設けた操作パネルとを備え、前記操作パネルは、下端に操作パネル軸部を設けた操作パネル脚部と、前記操作パネル脚部に取り付けた操作パネル表示部を有し、前記操作パネル表示部の内部に水位切り替えボタン、洗濯時間変更ボタン、すすぎ回数切り替えボタン、脱水時間変更ボタン等の好みの洗濯シーケンスを設定する操作ボタンを有する操作用プリント基板を設け、前記操作パネル表示部の表面には上方から押されることで前記操作ボタンを操作する操作面を設けて前記操作パネル設置枠内に収納可能とし、前記操作ボタンの操作時に、前記操作パネル設置枠から手前側に回転突出させて操作するよう構成するとともに、前記操作パネルの収納時に、前記補強板で補強された前記上部覆い体と前記操作パネル設置枠により前記操作パネル表示部の上方が覆われるように構成した洗濯機における操作部収納装置。
【発明の詳細な説明】
【０００１】
【発明の属する技術分野】
本発明は、操作部の一部を収納可能とした洗濯機における操作部装置に関するものである。
【０００２】
【従来の技術】
従来、この種の洗濯機における操作部収納装置は、図８〜図１０に示すように構成していた。以下、その構成について説明する。
【０００３】
図８に示すように、外枠１は、上部に上部覆い体２を装着し、上部覆い体２の略中央部に洗濯物投入口３を形成し、蓋４で覆っている。上部覆い体２の前部に制御用ユニット５を取り付け、操作パネル６で覆っている。操作パネル６の各ボタンは、電源入ボタン、切ボタンまたスタート、一時停止ボタン、水位切り替えボタン、洗濯時間変更ボタン、すすぎ回数切り替えボタン、脱水時間変更ボタンなど使用者の希望によって、洗濯シーケンスを変更できるようになっている。
【０００４】
また、上部覆い体２の後部には、給水弁７、安全スイッチ８などの電装部品を取り付け、後部パネル９で覆っている。リード線１０は、電装部品相互間を接続するもので、電装部品と洗濯機下部のモータ（図示せず）に連結するリード線１１を有し、それぞれの端部にコネクタ１２を接続し、リード線１１を上部覆い体２に設けた穴１３より下に向けて配線している。
【０００５】
電装部品間を接続するリード線１０は、図９に示すように、上部覆い体２の右サイドに設けた溝部１４に収納し、コネクタ１２を制御用ユニット５および電装部品と接続するようにしている。また、操作パネル６と後部パネル９の間に、図１０に示すように、カバー体１５を上部覆い体２に嵌合している。
【０００６】
【発明が解決しようとする課題】
このような従来の構成では、操作パネル６には、電源入ボタン、切ボタンまたスタート、一時停止ボタン、水位切り替えボタン、洗濯時間変更ボタン、すすぎ回数切り替えボタン、脱水時間変更ボタンなどの多くの操作ボタンを配設しており、使用者の使い勝手が悪かったり、スタートボタンのみ使用する使用者にとっては、使用しないボタンが沢山あるだけのため、外観的にも良くなかった。
【０００７】
本発明は上記課題を解決するもので、使用頻度が低い操作ボタンを操作するとき、操作パネルを操作パネル設置枠から回転突出させて操作し、通常時または操作不要時には、操作パネル設置枠内に収納できるようにし、使用者の使い勝手を向上するとともに、外観的にもよくすることを目的としている。
【０００８】
【課題を解決するための手段】
本発明は上記目的を達成するために、槽を収容した外枠と、前記外枠の上方部に覆設し略中央に洗濯物投入口を有する上部覆い体と、前記上部覆い体の前部に設け電源入ボタン、切ボタン、スタート、一時停止ボタンである電源を入れるボタン、電源を切るボタンおよび洗濯をスタートもしくは一時停止させるボタンのみを配置した制御用ユニットと、前記制御用ユニットを取り付けた状態で前記上部覆い体を上方から覆う前部パネルと、前記前部パネルの前記制御用ユニットに対向した位置に設けられ上方から押されることで前記制御用ユニットのボタンを操作する操作部と、前記操作部の下方に位置して前記上部覆い体の下面側に締め付けねじにて締め付けられた操作パネル設置枠と、前記上部覆い体と前記操作パネル設置枠の間に設けられてそれぞれを補強するとともに前記外枠に締め付けねじにて取り付けられる補強板と、前記操作パネル設置枠の内方に下端側を軸支して回転可能に設けた操作パネルとを備え、前記操作パネルは、下端に操作パネル軸部を設けた操作パネル脚部と、前記操作パネル脚部に取り付けた操作パネル表示部を有し、前記操作パネル表示部の内部に水位切り替えボタン、洗濯時間変更ボタン、すすぎ回数切り替えボタン、脱水時間変更ボタン等の好みの洗濯シーケンスを設定する操作ボタンを有する操作用プリント基板を設け、前記操作パネル表示部の表面には上方から押されることで前記操作ボタンを操作する操作面を設けて前記操作パネル設置枠内に収納可能とし、前記操作ボタンの操作時に、前記操作パネル設置枠から手前側に回転突出させて操作するよう構成するとともに、前記操作パネルの収納時に、前記補強板で補強された前記上部覆い体と前記操作パネル設置枠により前記操作パネル表示部の上方が覆われるように構成したものである。
【０００９】
これにより、使用頻度が低い操作ボタンを操作するとき、操作パネルを操作パネル設置枠から回転突出させて操作することができ、通常時または操作不要時には、操作パネル設置枠内に収納することができ、使用者の使い勝手を向上するとともに、外観的にもよくすることができる。
【００１０】
【発明の実施の形態】
本発明の請求項１に記載の発明は、槽を収容した外枠と、前記外枠の上方部に覆設し略中央に洗濯物投入口を有する上部覆い体と、前記上部覆い体の前部に設け電源入ボタン、切ボタン、スタート、一時停止ボタンである電源を入れるボタン、電源を切るボタンおよび洗濯をスタートもしくは一時停止させるボタンのみを配置した制御用ユニットと、前記制御用ユニットを取り付けた状態で前記上部覆い体を上方から覆う前部パネルと、前記前部パネルの前記制御用ユニットに対向した位置に設けられ上方から押されることで前記制御用ユニットのボタンを操作する操作部と、前記操作部の下方に位置して前記上部覆い体の下面側に締め付けねじにて締め付けられた操作パネル設置枠と、前記上部覆い体と前記操作パネル設置枠の間に設けられてそれぞれを補強するとともに前記外枠に締め付けねじにて取り付けられる補強板と、前記操作パネル設置枠の内方に下端側を軸支して回転可能に設けた操作パネルとを備え、前記操作パネルは、下端に操作パネル軸部を設けた操作パネル脚部と、前記操作パネル脚部に取り付けた操作パネル表示部を有し、前記操作パネル表示部の内部に水位切り替えボタン、洗濯時間変更ボタン、すすぎ回数切り替えボタン、脱水時間変更ボタン等の好みの洗濯シーケンスを設定する操作ボタンを有する操作用プリント基板を設け、前記操作パネル表示部の表面には上方から押されることで前記操作ボタンを操作する操作面を設けて前記操作パネル設置枠内に収納可能とし、前記操作ボタンの操作時に、前記操作パネル設置枠から手前側に回転突出させて操作するよう構成するとともに、前記操作パネルの収納時に、前記補強板で補強された前記上部覆い体と前記操作パネル設置枠により前記操作パネル表示部の上方が覆われるように構成したものであり、水位切り替えボタン、洗濯時間変更ボタン、すすぎ回数切り替えボタン、脱水時間変更ボタンなどの使用頻度が低い操作ボタンを操作するとき、操作パネルを操作パネル設置枠から回転突出させて、これらの操作ボタンを操作することができ、通常時または使用頻度が低い操作ボタンの操作不要時には、操作パネル設置枠内に収納することができ、使用者の使い勝手を向上できるとともに、外観的にもよくすることができる。また、操作パネルの収納時に操作パネル表示部の上方を覆う、上部覆い体と操作パネル設置枠の強度を補強することができる。
【００１１】
【実施例】
以下、本発明の実施例について、図面を参照しながら説明する。
【００１２】
（実施例１）
図１および図２に示すように、外枠１６は、上部に上部覆い体１７を装着し、上部覆い体１７の略中央に洗濯物投入口１８を形成している。上部覆い体１７の前部に、電源入ボタン、切ボタンまたスタート、一時停止ボタンなどの使用頻度が高いボタンを配置した制御用ユニット１９を取り付け、前部パネル（パネル）２０で覆い、制御用ユニット１９に対向した位置に操作部２０ａを設けている。
【００１３】
上部覆い体１７の後部には、給水弁、安全スイッチ（いずれも図示せず）の電装部品を取り付け、後部パネル（パネル）２１で覆っている。リード線２２は電装部品相互間を接続するもので、電装部品と洗濯機下部のモータ（図示せず）に連結するリード線２３を有し、それぞれの端部にコネクタ２４を接続し、リード線２３を上部覆い体１７に設けた穴２５より下に向けて配線している。電装部品間を接続するリード線２２は、上部覆い体１７の右サイドの溝部２６に収納し、コネクタ２４を制御用ユニット１９および電装部品と接続するようにしている。
【００１４】
補強板２７は、上部覆い体１７と操作パネル設置枠２８を補強するもので、締め付けねじ２９にて締め付けるようにしている。なお、操作パネル設置枠２８は、上部覆い体１７と別体に設けているが、上部覆い体１７と一体に設けてもよい。
【００１５】
操作パネル３０は、操作パネル脚部３１と、この操作パネル脚部３１に爪嵌合により取り付けた操作パネル表示部３２とで構成しており、この操作パネル３０は、操作パネル設置枠２８の内方に、下端側を操作パネル軸部３３により操作パネル脚部３１を軸支して回転可能に取り付けている。操作パネル表示部３２には、水位切り替えボタン、洗濯時間変更ボタン、すすぎ回数切り替えボタン、脱水時間変更ボタンなどの使用頻度が低い操作ボタンを設けている。
【００１６】
操作パネル表示部３２には、図３に示すように、操作用プリント基板３４を締め付けねじにより締め付けており、操作パネル３０を取り付けた操作パネル設置枠２８を補強板２７を介して上部覆い体１７に締め付けねじ２９にて締め付けている。また、図４に示すように、操作パネル設置枠２８に爪部３５を設け、この爪部３５を外枠１６に設けた穴部３６に嵌合し、操作パネル設置枠２８を外枠１６に取り付けている。
【００１７】
さらに、図５に示すように、化粧板３７の爪部３８を外枠１６に設けた穴部３９に嵌合させて、化粧板３７を操作パネル設置枠２８を覆うように取り付けている。
【００１８】
上記構成において、前部パネル２０に設けた操作部２０ａには、電源入ボタン、切ボタンまたスタート、一時停止ボタンなどの使用頻度が高い操作ボタンを配置しているので、電源を入れてスタートボタンを押すだけの使用者にとっては、他の操作ボタンがないため、誤操作の可能性がなく、使い勝手を向上することができる。
【００１９】
また、水位切り替えボタン、洗濯時間変更ボタン、すすぎ回数切り替えボタン、脱水時間変更ボタンなどの操作ボタンを操作するときは、操作パネル３０を操作パネル設置枠２８から回転させて外枠１６の手前に突出させて、これらの操作ボタンを操作することにより、好みの洗濯シーケンスを設定することができる。
【００２０】
また、通常時または使用頻度が低い操作ボタンの操作不要時には、操作パネル３０を操作パネル設置枠２８内に収納することができ、使用者の使い勝手を向上するとともに、外観的にもよくすることができる。
【００２１】
（実施例２）
図６および図７に示すように、操作パネル３０ａは、操作パネル脚部３１ａと、この操作パネル脚部３１ａに取り付けた操作パネル表示部３２ａとで構成しており、この操作パネル３０ａは、操作パネル設置枠２８ａの内方に、下端側を操作パネル軸部３３ａにより操作パネル脚部３１ａを軸支して回転可能に取り付けている。
【００２２】
操作パネル脚部３１ａに溝部４０を設け、この溝部４０に、操作用プリント基板３４ａに接続したリード線４１を嵌合させ、操作パネル脚部３１ａの操作パネル軸部３３ａまで配置する。また、前部パネル２０に取り付けている制御用ユニット１９のリード線４２は、上部覆い体１７ａに設けた穴４３より下に垂らし（図２参照）、コネクタ２４により電気的に接続している。化粧板３７は、電気的接続部分を覆うように外枠１６の上方部に設けている。
【００２３】
上記構成において、操作用プリント基板３４ａに接続したリード線４１と他の電装部品との電気的接続を操作パネル設置枠２８ａの近傍で行うことができ、リード線４１にストレスがかかりにくくすることができ、また、その電気的接続部分を化粧板３７で覆うことにより、電気的接続部分を外部の水から遮断することができ、安全性を向上することができる。
【００２４】
なお、上記各実施例では、洗濯機の操作部収納装置について説明したが、食器洗浄機、乾燥機などの操作部収納装置についても同様に構成することができ、同様の作用効果を得ることができる。
【００２５】
【発明の効果】
以上のように本発明の請求項１に記載の発明によれば、槽を収容した外枠と、前記外枠の上方部に覆設し略中央に洗濯物投入口を有する上部覆い体と、前記上部覆い体の前部に設け電源入ボタン、切ボタン、スタート、一時停止ボタンである電源を入れるボタン、電源を切るボタンおよび洗濯をスタートもしくは一時停止させるボタンのみを配置した制御用ユニットと、前記制御用ユニットを取り付けた状態で前記上部覆い体を上方から覆う前部パネルと、前記前部パネルの前記制御用ユニットに対向した位置に設けられ上方から押されることで前記制御用ユニットのボタンを操作する操作部と、前記操作部の下方に位置して前記上部覆い体の下面側に締め付けねじにて締め付けられた操作パネル設置枠と、前記上部覆い体と前記操作パネル設置枠の間に設けられてそれぞれを補強するとともに前記外枠に締め付けねじにて取り付けられる補強板と、前記操作パネル設置枠の内方に下端側を軸支して回転可能に設けた操作パネルとを備え、前記操作パネルは、下端に操作パネル軸部を設けた操作パネル脚部と、前記操作パネル脚部に取り付けた操作パネル表示部を有し、前記操作パネル表示部の内部に水位切り替えボタン、洗濯時間変更ボタン、すすぎ回数切り替えボタン、脱水時間変更ボタン等の好みの洗濯シーケンスを設定する操作ボタンを有する操作用プリント基板を設け、前記操作パネル表示部の表面には上方から押されることで前記操作ボタンを操作する操作面を設けて前記操作パネル設置枠内に収納可能とし、前記操作ボタンの操作時に、前記操作パネル設置枠から手前側に回転突出させて操作するよう構成するとともに、前記操作パネルの収納時に、前記補強板で補強された前記上部覆い体と前記操作パネル設置枠により前記操作パネル表示部の上方が覆われるように構成したから、水位切り替えボタン、洗濯時間変更ボタン、すすぎ回数切り替えボタン、脱水時間変更ボタンなどの使用頻度が低い操作ボタンを操作するとき、操作パネルを操作パネル設置枠から回転突出させて、これらの操作ボタンを操作することができ、通常時または使用頻度が低い操作ボタンの操作不要時には、操作パネル設置枠内に収納することができ、使用者の使い勝手を向上できるとともに、外観的にもよくすることができる。また、操作パネルの収納時に操作パネル表示部の上方を覆う、上部覆い体と操作パネル設置枠の強度を補強することができる。
【図面の簡単な説明】
【図１】  本発明の第１の実施例の洗濯機等における操作部収納装置を備えた洗濯機の斜視図
【図２】  同洗濯機等における操作部収納装置を備えた洗濯機の要部分解斜視図
【図３】  同洗濯機等における操作部収納装置の要部分解断面図
【図４】  同洗濯機等における操作部収納装置を備えた洗濯機の要部分解断面図
【図５】  同洗濯機等における操作部収納装置を備えた洗濯機の要部断面図
【図６】  本発明の第２の実施例の洗濯機等における操作部収納装置を備えた洗濯機の要部断面図
【図７】  同洗濯機等における操作部収納装置を備えた洗濯機の一部切欠した正面図
【図８】  従来の洗濯機等における操作部収納装置を備えた洗濯機の要部分解斜視視図
【図９】  同洗濯機等における操作部収納装置を備えた洗濯機の要部断面図
【図１０】  同洗濯機等における操作部収納装置を備えた洗濯機の要部斜視図
【符号の説明】
１６  外枠
１７  上部覆い体
１８  洗濯物投入口
２０  前部パネル（パネル）
２１  後部パネル（パネル）
２８  操作パネル設置枠
３０  操作パネル
【図１】
0004399942.tif 000002
【図２】
0004399942.tif 000003
【図３】
0004399942.tif 000004
【図４】
0004399942.tif 000005
【図５】
0004399942.tif 000006
【図６】
0004399942.tif 000007
【図７】
0004399942.tif 000008
【図８】
0004399942.tif 000009
【図９】
0004399942.tif 000010
【図１０】
0004399942.tif 000011